(57)【要約】【課題】不揮発性メモリーに初期の白基準データを保存しておかなくても、初期の白基準データに基づいてシェーディング補正を行うことができる画像読取装置を提供する。【解決手段】原稿読取スリットに対向する位置に配置された対向ローラー３３１を備え、原稿載置部に載置された原稿を１枚ずつ順に繰り出して原稿読取スリットに対向する位置へ搬送する原稿給送部と、原稿を読み取って画像データを取得するスキャナー２１を備えた原稿読取部と、白基準データが符号化され、対向ローラー３３１に表記されたバーコード１００ａと、スキャナー２１を原稿読取スリットに対向する位置に移動させ、スキャナーを用いてバーコード１００ａを読み取って白基準データを取得する基準データ読取制御部と、白基準データに基づいて原稿の画像データをシェーディング補正する画像処理部とを備えている。【選択図】図３
2017034327.tif 000002
【特許請求の範囲】
【請求項１】
原稿を搬送する搬送ローラーとして、原稿読取スリットに対向する位置に配置された対向ローラーを備え、原稿載置部に載置された原稿を１枚ずつ順に繰り出して前記原稿読取スリットに対向する位置へ搬送する原稿給送部と、
原稿を読み取って画像データを取得するスキャナーを備えた原稿読取部と、
白基準データが符号化され、前記対向ローラーに表記された第１バーコードと、
前記スキャナーを前記原稿読取スリットに対向する位置に移動させ、前記スキャナーを用いて前記第１バーコードを読み取って前記白基準データを取得する基準データ読取制御部と、
前記白基準データに基づいて原稿の前記画像データをシェーディング補正する画像処理部と、
シェーディング補正によって得られた補正画像データを出力する画像データ出力部とを具備することを特微とする画像読取装置。
【請求項２】
原稿が載置されるプラテンガラスと、
該プラテンガラスの上面を開閉するプラテンカバーと、
前記白基準データが符号化され、プラテンカバーの原稿押さえ面に表記された第２バーコードとを具備し、
前記基準データ読取制御部は、前記スキャナーを前記原稿押さえ面に対向する位置に移動させ、前記スキャナーを用いて前記第２バーコードを読み取って前記白基準データを取得することを特徴とする請求項１記載の画像読取装置。
【請求項３】
前記原稿載置部に原稿が載置されている場合、前記原稿読取部は、前記原稿読取スリットを介し、前記原稿給送部による原稿の給送動作と同期して原稿を読み取って画像データを取得し、前記画像処理部は、前記第２バーコードから取得した前記白基準データに基づいて原稿の前記画像データをシェーディング補正し、
前記原稿載置部に原稿が載置されていない場合、前記原稿読取部は、前記プラテンガラスと対向する位置に移動させた前記スキャナーを副走査方向に走査しながら読み取って画像データを取得し、前記画像処理部は、前記第１バーコードから取得した前記白基準データに基づいて原稿の前記画像データをシェーディング補正することを特徴とする請求項２記載の画像読取装置。
【請求項４】
前記スキャナーで読み取ったデータを白基準データとして、バーコードに変換して印刷する白基準印刷機能を備えていることを特徴とする請求項１乃至３のいずれかに記載の画像読取装置。
【発明の詳細な説明】
【技術分野】
【０００１】
本発明は、白基準データに基づいてシェーディング補正を行う画像読取装置に関する。
【背景技術】
【０００２】
原稿の画像及び白基準部の画像を読み取り、白基準部の画像データに応じて形成される白基準データに基づいて原稿の画像データをシェーディング補正して出力する画像読取装置が提案されている（例えば、特許文献１参照）。
【先行技術文献】
【特許文献】
【０００３】
【特許文献１】特開２００８−１８７５２７公報
【発明の概要】
【発明が解決しようとする課題】
【０００４】
しかしながら、従来技術では、白基準板に汚れがあった場合、読み取り画像に筋が発生してしまうことがある。対策として保存した初期の白基準データをシェーディング補正に使用することが考えられるが、初期の白基準データを保存しておく不揮発性メモリーとしてフラッシュメモリーやＨＤＤ等の原稿の画像データを記憶する記憶手段を用いた場合には、当該記憶手段の破損や交換によって初期の白基準データが失われてしまうことがある。また、初期の白基準データは、装置に制御基板を取り付けた上で取得されるのが一般的であるため、制御基板上のＲＯＭに初期の白基準データを保存することも困難である。
【０００５】
本発明は、かかる点に鑑みてなされたものであり、その目的とするところは、不揮発性メモリーに初期の白基準データを保存しておかなくても、初期の白基準データに基づいてシェーディング補正を行うことができる画像読取装置を提供することにある。
【課題を解決するための手段】
【０００６】
本発明の画像読取装置は、原稿を搬送する搬送ローラーとして、原稿読取スリットに対向する位置に配置された対向ローラーを備え、原稿載置部に載置された原稿を１枚ずつ順に繰り出して前記原稿読取スリットに対向する位置へ搬送する原稿給送部と、原稿を読み取って画像データを取得するスキャナーを備えた原稿読取部と、白基準データが符号化され、前記対向ローラーに表記された第１バーコードと、前記スキャナーを前記原稿読取スリットに対向する位置に移動させ、前記スキャナーを用いて前記第１バーコードを読み取って前記白基準データを取得する基準データ読取制御部と、前記白基準データに基づいて原稿の前記画像データをシェーディング補正する画像処理部と、シェーディング補正によって得られた補正画像データを出力する画像データ出力部とを具備することを特微とする。
さらに、本発明の画像読取装置において、原稿が載置されるプラテンガラスと、該プラテンガラスの上面を開閉するプラテンカバーと、前記白基準データが符号化され、プラテンカバーの原稿押さえ面に表記された第２バーコードとを具備し、前記基準データ読取制御部は、前記スキャナーを前記原稿押さえ面に対向する位置に移動させ、前記スキャナーを用いて前記第２バーコードを読み取って前記白基準データを取得しても良い。
さらに、本発明の画像読取装置において、前記原稿載置部に原稿が載置されている場合、前記原稿読取部は、前記原稿読取スリットを介し、前記原稿給送部による原稿の給送動作と同期して原稿を読み取って画像データを取得し、前記画像処理部は、前記第２バーコードから取得した前記白基準データに基づいて原稿の前記画像データをシェーディング補正し、前記原稿載置部に原稿が載置されていない場合、前記原稿読取部は、前記プラテンガラスと対向する位置に移動させた前記スキャナーを副走査方向に走査しながら読み取って画像データを取得し、前記画像処理部は、前記第１バーコードから取得した前記白基準データに基づいて原稿の前記画像データをシェーディング補正しても良い。
さらに、本発明の画像読取装置において、前記スキャナーで読み取ったデータを白基準データとして、バーコードに変換して印刷する白基準印刷機能を備えていても良い。
【０００７】
本発明によれば、表記されたバーコードを読み取ることで白基準データを取得することができるため、不揮発性メモリーに初期の白基準データを保存しておかなくても、初期の白基準データに基づいてシェーディング補正を行うことができるという効果を奏する。
【図面の簡単な説明】
【０００８】
【図１】本発明に係る画像読取装置の実施の形態の内部構成を示す概略模式断面図である。
【図２】図１に示す画像読取装置の実施の形態の構成を示す斜視図である。
【図３】図１に示す対向ローラーの構成を示す斜視図である。
【図４】本発明に係る画像読取装置の実施の形態の概略構成を示すブロック図である。
【図５】本発明に係る画像読取装置の実施の形態による原稿読み取り動作を説明するフローチャートである。
【発明を実施するための形態】
【０００９】
次に、本発明の実施の形態を、図面を参照して具体的に説明する。
本実施の形態の画像読取装置は、複写機１であり、図１及び図２を参照すると、原稿読取部２と、原稿給送部３と、本体部４と、操作部５とを備えている。原稿読取部２は、本体部４の上部に配設され、原稿給送部３は、原稿読取部２の上部に配設されている。操作部５は、複写機１の手前側に配設されている。また、原稿給送部３と原稿読取部２とは、図２に示すように、複写機１の奥側でヒンジ機構１０によって接続されており、原稿給送部３を手前側から上方に開くことで、原稿読取部２上面のプラテンガラス２２を開放可能な構成になっている。すなわち、原稿給送部３は、プラテンガラス２２の上面を開閉するプラテンカバーとして機能する。なお、本実施の形態の画像読取装置は、複写機１で説明したが、スキャナー、複合機等が含まれるのは、言うまでもない。
【００１０】
複写機１の手前側には、複写機１の設定や動作指示を行う操作部５が配設されている。操作部５は、液晶表示部５１、操作ボタン５２が設けられている。ユーザーは操作部５を操作して指示を入力することで、複写機１の各種の設定を行い、画像形成等の各種機能を実行させる。液晶表示部５１は、複写機１の状態を示したり、画像形成状況や印刷部数を表示したり、タッチパネルとして、両面印刷や白黒反転等の機能や倍率設定、濃度設定など各種設定を行えるようになっている。操作ボタン５２としては、画像形成を開始するようにユーザーが指示するスタートボタン、画像形成を中止する際等に使用するストップ／クリアボタン、複写機１の各種設定をデフォルト状態にする際に使用するリセットボタン、テンキー等が設けられている。
【００１１】
原稿読取部２は、スキャナー２１と、プラテンガラス２２と、原稿読取スリット２３とを備えている。スキャナー２１は、ＬＥＤ（Light Emitting Diode）を用いた光源２４と、ＣＣＤ（Charge Coupled Device）ラインセンサーやＣＭＯＳ（Complementary Metal Oxide Semiconductor）ラインセンサー等からなる受光部２５とを備えており、原稿給送部３による原稿の搬送方向に移動可能に構成されている。プラテンガラス２２は、ガラス等の矩形状の透明部材により構成され、原稿読取部２の上面に配置された原稿台である。なお、本実施の形態では、図２に示すように、プラテンガラス２２における奥側に位置する辺と奥側に向かって左側に位置する辺とで原稿の位置合わせが行われる。原稿読取スリット２３は、原稿給送部３による原稿の搬送方向と直交する方向に形成されたガラス窓等のスリットである。また、原稿読取部２には開閉検出センサー２６が、原稿給送部３（プラテンカバー）の開閉を検出する開閉検出手段として設けられている。開閉検出センサー２６は、原稿給送部３（プラテンカバー）の開成を検出するマイクロスイッチである。
【００１２】
原稿給送部３は、原稿載置部３１と、原稿排出部３２と、原稿搬送機構３３と、原稿検出センサー３４を備えている。原稿搬送機構３３は、原稿載置部３１に載置された原稿を１枚ずつ順に繰り出して原稿読取スリット２３に対向する位置へ搬送し、その後、原稿排出部３２に排出する。また、原稿搬送機構３３は、原稿を搬送する搬送ローラーとして、原稿読取スリット２３に対向する位置に配置された対向ローラー３３１を備えている。対向ローラー３３１の周面には、図３に示すように、白基準データが符号化されたバーコード１００ａが表記されている。バーコード１００ａは、工場にて、受光部２５の各画素で白基準を読み取ったデータを初期の白基準データとして、バーコードに変換したものであり、レーザー等で対向ローラー３３１に記録されている。なお、図３においてバーコード１００ａは、１次元コードとしているが、２次元コードであっても良く、データ量が大きい場合には、複数のバーコード１００ａで構成しても良い。原稿検出センサー３４は、原稿載置部３１に載置された原稿の有無を検出する原稿検出部である。
【００１３】
原稿給送部３は、プラテンガラス２２上面を開閉するプラテンカバーとして機能し、原稿給送部３を上方に開くことで、プラテンガラス２２上面が開放され、プラテンガラス２２に原稿をセットできる状態となる。また、原稿給送部３におけるプラテンガラス２２との対向面は、白色の原稿押さえ面３５となっている。そして、原稿押さえ面３５には、図２に示すように、白基準データが符号化されたバーコード１００ｂが表記されている。バーコード１００ｂは、原稿給送部３を閉じると、プラテンガラス２２に載置される最小サイズの原稿を重なる位置に表記されている。バーコード１００ｂは、工場にて、受光部２５の各画素で白基準を読み取ったデータを初期の白基準データとして、バーコードに変換したものであり、シールとして原稿押さえ面３５に貼付されている。なお、図２においてバーコード１００ｂは、２次元コードとしているが、１次元コードであっても良く、データ量が大きい場合には、複数のバーコード１００ｂで構成しても良い。
【００１４】
本体部４は、記録部６を備えると共に、給紙部４１と、給紙ローラー４２と、用紙搬送路４３と、搬送ローラー４４と、排出ローラー４５とを備えている。給紙部４１は、複数枚の記録紙Ｐが収納される給紙カセットであり、給紙ローラー４２は、給紙部４１から記録紙Ｐを１枚ずつ用紙搬送路４３に繰り出す。給紙ローラー４２によって用紙搬送路４３に繰り出された記録紙Ｐは、搬送ローラー４４によって記録部６に搬送される。そして、記録部６によって記録が施された記録紙Ｐは、排出ローラー４５によって、原稿読取部２と本体部４との間に形成された排出空間４６に排出される。このように、給紙ローラー４２、搬送ローラー４４及び排出ローラー４５は、記録紙Ｐの搬送部として機能する。
【００１５】
記録部６は、感光体ドラム６１と、帯電部６２と、露光部６３と、画像形成部６４と、転写部６５と、定着部６６と、クリーニング部６７とを備えている。露光部６３は、レーザー装置やミラー等を備えた光学ユニットであり、帯電部６２によって一様に帯電された感光体ドラム６１に対し、画像データに基づくレーザー光を出力して露光し、感光体ドラム６１の表面に静電潜像を形成する。画像形成部６４は、トナーを用いて感光体ドラム６１に形成された静電潜像を現像する現像ユニットであり、静電潜像に基づいたトナー像を感光体ドラム６１上に形成させる。転写部６５は、画像形成部６４によって感光体ドラム６１上に形成されたトナー像を記録紙Ｐに転写させる。定着部６６は、転写部６５によってトナー像が転写された記録紙を加熱してトナー像を記録紙に定着させる。そして感光体ドラム６１上に残存するトナーは、クリーニング部６７によって除去される。
【００１６】
図４には、複写機１の概略構成を示すブロック図が示されている。上述の原稿読取部２、原稿給送部３、搬送部（給紙ローラー４２、搬送ローラー４４、排出ローラー４５）、操作部５及び記録部６は、制御部７に接続され、制御部７によって動作制御される。また、制御部７には、画像処理部８と、記憶部９とが接続されている。
【００１７】
画像処理部８は、画像データに対して所定の画像処理を行う手段であり、例えば、拡大縮小処理や、シェーディング補正、階調調整、濃度調整等の画像改善処理が行われる。
【００１８】
記憶部９は、半導体メモリーやＨＤＤ（Hard Disk Drive）等の記憶手段であり、原稿読取部２によって原稿を読み取ることで取得された画像データが記憶される。
【００１９】
制御部７は、ＲＯＭ（Read Only Memory）、ＲＡＭ（Random Access Memory）等を備えたマイクロコンピューター等の情報処理部である。ＲＯＭには複写機１の動作制御を行うための制御プログラムが記憶されている。制御部７は、ＲＯＭに記憶されている制御プログラムを読み出し、制御プログラムをＲＡＭに展開させることで、操作部５から入力された所定の指示情報に応じて装置全体の制御を行う。
【００２０】
また、制御部７は、対向ローラー３３１の周面に表記されたバーコード１００ａもくしは原稿押さえ面３５に表記されたバーコード１００ｂから原稿読取部２を用いて白基準データを読み取る基準データ読取制御部７１として機能する。
【００２１】
次に、複写機１による原稿読み取り動作について図５を参照して詳細に説明する。
操作部５の操作ボタン５２によって原稿の読み取りが指示されると（ステップＳ１）、制御部７は、基準データ読取制御部７１として機能し、原稿検出センサー３４から出力によって原稿載置部３１に原稿が載置されているか否かを判断すると共に（ステップＳ２）、開閉検出センサー２６からの出力によって原稿給送部３（プラテンカバー）が閉じられているか否かを判断する（ステップＳ３ａ、Ｓ３ｂ）。
【００２２】
ステップＳ２で原稿載置部３１に原稿が載置され、ステップＳ３ａで原稿給送部３（プラテンカバー）が閉じられている場合、基準データ読取制御部７１は、スキャナー２１を原稿押さえ面３５に表記されたバーコード１００ｂに対向する位置に移動させ（ステップＳ４）、バーコード１００ｂから白基準データを取得する（ステップＳ５）。
【００２３】
次に、制御部７は、スキャナー２１を原稿読取スリット２３と対向する位置に移動させ（ステップＳ６）、原稿読取スリット２３を介し、原稿給送部３による原稿の給送動作と同期して原稿を読み取って画像データを取得する（ステップＳ７）。
【００２４】
次に、制御部７は、画像処理部８を用いて、ステップＳ７で取得した画像データに対してステップＳ５で取得した白基準データに基づくシェーディング補正を実行する（ステップＳ８）。そして、制御部７は画像データ出力部として機能し、シェーディング補正によって得られた、白基準データに対する相対的な照度を示す補正画像データを本体部４に出力し（ステップＳ９）、原稿読み取り動作を終了させる。
【００２５】
ステップＳ２で原稿載置部３１に原稿が載置されておらず、ステップＳ３ｂで原稿給送部３（プラテンカバー）が閉じられている場合、基準データ読取制御部７１は、スキャナー２１を原稿読取スリット２３に対向する位置に移動させ（ステップＳ１０）、対向ローラー３３１を回転させることで、対向ローラー３３１に表記されたバーコード１００ａから白基準データを取得する（ステップＳ１１）。
【００２６】
次に、制御部７は、スキャナー２１をプラテンガラス２２と対向する位置に移動させ（ステップＳ１２）、プラテンガラス２２に載置された原稿を主走査方向と直交する副走査方向に走査しながら読み取って画像データを取得する（ステップＳ１３）。
【００２７】
次に、制御部７は、画像処理部８を用いて、ステップＳ１３で取得した画像データに対してステップＳ１１で取得した白基準データに基づくシェーディング補正を実行する（ステップＳ１４）。そして、制御部７は画像データ出力部として機能し、シェーディング補正によって得られた、白基準データに対する相対的な照度を示す補正画像データを本体部４に出力し（ステップＳ９）、原稿読み取り動作を終了させる。
【００２８】
なお、原稿載置部３１に載置された原稿を読み取る際に、対向ローラー３３１に表記されたバーコード１００ａから白基準データを取得する場合には、原稿載置部３１に載置された原稿の給送に対向ローラー３３１が用いられるため、バーコード１００ａから白基準データを取得した後に、原稿載置部３１に載置された原稿の給送を開始することになる。これに対し、本実施の形態では、原稿載置部３１に載置された原稿を読み取る際に、対向ローラー３３１に表記されたバーコード１００ａからではなく、原稿押さえ面３５に表記されたバーコード１００ｂから取得した白基準データに基づいてシェーディング補正を行うようにしている。これにより、バーコード１００ｂからの白基準データの取得と並行して、原稿載置部３１に載置された原稿の給送を開始することができる。
【００２９】
また、白基準データを記憶しておく記憶領域を確保できる場合には、電源立ち上げ時に、バーコード１００ａもしくはバーコード１００ｂから白基準データを取得しておくこともできる。この場合には、バーコード１００ａもしくはバーコード１００ｂのいずれか一方のみを設けておけばよい。
【００３０】
さらに、経時変化を加味した白基準データをバーコードとして原稿押さえ面３５に貼付することで、計時変化を加味した白基準データに基づくシェーディング補正を行うようにしても良い。この場合、複写機１に、受光部２５の各画素で白基準を読み取ったデータを白基準データとして、バーコードに変換して印刷する白基準印刷機能を備えると好適である。白基準印刷機能を用い、プラテンガラス２２に白基準シートを載置し、受光部２５の各画素で読み取り、バーコードに変換して印刷する。これによって、経時変化を加味した白基準データがバーコードとして印刷される。この印刷されたバーコードを原稿押さえ面３５に貼付することで、経時変化を加味した白基準データに基づくシェーディング補正を行うことが可能になる。
【００３１】
以上説明したように、本実施の形態によれば、原稿を搬送する搬送ローラーとして、原稿読取スリット２３に対向する位置に配置された対向ローラー３３１を備え、原稿載置部３１に載置された原稿を１枚ずつ順に繰り出して原稿読取スリット２３に対向する位置へ搬送する原稿給送部３と、原稿を読み取って画像データを取得するスキャナー２１を備えた原稿読取部２と、白基準データが符号化され、対向ローラー３３１に表記されたバーコード１００ａと、スキャナー２１を原稿読取スリット２３に対向する位置に移動させ、スキャナーを用いてバーコード１００ａを読み取って白基準データを取得する基準データ読取制御部７１と、白基準データに基づいて原稿の画像データをシェーディング補正する画像処理部８と、シェーディング補正によって得られた補正画像データを出力する画像データ出力部（制御部７）とを備えている。
この構成により、白基準データが符号化され、対向ローラー３３１に表記されたバーコード１００ａを読み取ることで白基準データを取得することができるため、不揮発性メモリーに初期の白基準データを保存しておかなくても、初期の白基準データに基づいてシェーディング補正を行うことができる
【００３２】
さらに、本実施の形態によれば、原稿が載置されるプラテンガラス２２と、プラテンガラス２２の上面を開閉するプラテンカバー（原稿給送部３）と、白基準データが符号化され、プラテンカバーの原稿押さえ面３５に表記されたバーコード１００ｂとを備え、基準データ読取制御部７１は、スキャナー２１を原稿押さえ面３５に対向する位置に移動させ、スキャナー２１を用いてバーコード１００ｂを読み取って白基準データを取得する。
この構成により、白基準データが符号化され、プラテンカバーの原稿押さえ面３５に表記されたバーコード１００ｂを読み取ることで白基準データを取得することができる。
【００３３】
さらに、本実施の形態によれば、原稿載置部３１に原稿が載置されている場合、原稿読取部２は、原稿読取スリット２３を介し、原稿給送部３による原稿の給送動作と同期して原稿を読み取って画像データを取得し、画像処理部８は、バーコード１００ｂから取得した白基準データに基づいて原稿の画像データをシェーディング補正し、原稿載置部３１に原稿が載置されていない場合、原稿読取部２は、プラテンガラス２２と対向する位置に移動させたスキャナー２１を副走査方向に走査しながら読み取って画像データを取得し、画像処理部８は、バーコード１００ａから取得した白基準データに基づいて原稿の画像データをシェーディング補正する。
この構成により、バーコード１００ｂからの白基準データの取得と並行して、原稿載置部３１に載置された原稿の給送を開始することができる。また、原稿によって原稿押さえ面３５に表記されたバーコード１００ｂを読み取ることができない状態でも、対向ローラー３３１に表記されたバーコード１００ａを読み取ることで白基準データを取得することができる。
【００３４】
さらに、本実施の形態によれば、スキャナー２１で読み取ったデータを白基準データとして、バーコードに変換して印刷する白基準印刷機能を備えている。
この構成により、経時変化を加味した白基準データをバーコードとして原稿押さえ面３５に貼付することができ、経時変化を加味した白基準データに基づくシェーディング補正を行うことができる。
【００３５】
なお、本発明が上記各実施の形態に限定されず、本発明の技術思想の範囲内において、各実施の形態は適宜変更され得ることは明らかである。
【符号の説明】
【００３６】
１  複写機
２  原稿読取部
３  原稿給送部
４  本体部
５  操作部
６  記録部
７  制御部
８  画像処理部
９  記憶部 
１０  ヒンジ機構
２１  スキャナー
２２  プラテンガラス
２３  原稿読取スリット
２４  光源
２５  受光部
２６  開閉検出センサー
３１  原稿載置部
３２  原稿排出部
３３  原稿搬送機構
３４  原稿検出センサー
３５  原稿押さえ面
４１  給紙部
４２  給紙ローラー
４３  用紙搬送路
４４  搬送ローラー
４５  排出ローラー
４６  排出空間
５１  液晶表示部
５２  操作ボタン
６１  感光体ドラム
６２  帯電部
６３  露光部
６４  画像形成部
６５  転写部
６６  定着部
６７  クリーニング部
７１  基準データ読取制御部
１００ａ、１００ｂ  バーコード
３３１  対向ローラー
【図１】
2017034327.tif 000003
【図２】
2017034327.tif 000004
【図３】
2017034327.tif 000005
【図４】
2017034327.tif 000006
【図５】
2017034327.tif 000007